(57)【要約】【課題】  チルト調整とディセンター調整とを、ターンテーブルユニットないしそれに含まれるモータに対して行うことができるようにして調整作業性を改善する。光ピックアップを案内する主軸や副軸を支えるための軸受部分の構成を簡略にする。【解決手段】  光ピックアップの走行を案内するガイド機構とターンテテーブルユニット５０とを備えると共に、チルト調整機構７０とディセンター調整機構８０とを備える。モータベース６０をシャーシ１０に水平揺動可能に支持する頭付き第１調整ねじ７１と、モータベース６０を上下に揺動可能に支持する第２支軸６４と、第２支軸６４を摺動させる摺動面１４とを介して、ターンテーブルユニット５０を搭載したモータベース６０をシャーシ１０に取り付ける。【選択図】        図１
2005332530.tif 000002
【特許請求の範囲】
【請求項１】
光ピックアップを案内して光ディスクの記録面に沿って走行させるためのガイド機構と、モータの回転軸に光ディスクを支持するターンテーブルが同軸に連結されてなるターンテテーブルユニットとを備える光ディスク装置において、
光ディスクの記録面に対する光ピックアップの光軸の傾角を微調整するためのチルト調整を行うためのチルト調整機構と、上記ガイド機構による光ピックアップの走行位置を調節するディセンター調整機構とを備え、
上記モータの回転軸に対する偏心箇所で上記モータベースを上記シャーシに水平揺動可能に支持する第１支軸と、上記モータベースを上下に揺動可能に支持しかつ軸線が上記モータの回転軸の軸線と直交させて配備されている第２支軸と、モータベースが第１支軸を中心に水平揺動されるときに上記第２支軸を摺動させてその第２支軸の水平変位を許容する摺動面とを介して、上記ターンテーブルユニットを搭載したモータベースがシャーシに取り付けられていて、上記チルト調整機構が、上記第１支軸を形成して回転操作によって上記第２支軸を中心に上記モータベースを上下に揺動させる第１調整具を含み、上記ディセンター調整機構が、上記第２支軸をその軸線方向に沿う方向に押引きして上記モータベースを上記第１支軸を中心に水平揺動させる第２調整具を含み、
上記第１調整具が、上記シャーシの下側に配備された上記モータベースの挿通孔に回転自在に挿通されて上記シャーシ側に形成されたねじ孔にねじ込まれている頭付き第１調整ねじでなり、上記シャーシと上記モータベースとの間に介在された第１ばね体によって上記モータベースが上記第１調整ねじの頭部に押し付けられていると共に、上記第２調整具が、上記シャーシ側に具備されたねじ孔にねじ込まれて上記第２支軸の端面に対峙する第２調整ねじと、上記モータベースを弾発付勢して上記第２支軸の端面を上記第２調整ねじに押し付けている第２ばね体とを備え、
上記第２支軸は、上記モータベースの左右の同心位置に具備された一対の軸部に分割されていて、一方の軸部の端面に上記第２調整ねじが対峙され、かつ、他方の軸部にコイルばねでなる上記第２ばね体が嵌合されていると共に、上記摺動面が、それぞれの軸部が嵌合された各別の長孔の内面によって形成されていることを特徴とする光ディスク装置。
【請求項２】
光ピックアップを案内して光ディスクの記録面に沿って走行させるためのガイド機構と、モータの回転軸に光ディスクを支持するターンテーブルが同軸に連結されてなるターンテテーブルユニットとを備える光ディスク装置において、
光ディスクの記録面に対する光ピックアップの光軸の傾角を微調整するためのチルト調整と、上記ガイド機構による光ピックアップの走行位置を調節するディセンター調整とを、上記ターンテーブルユニットに対して行うように構成したことを特徴とする光ディスク装置。
【請求項３】
上記ターンテーブルユニットをモータベースに搭載し、そのモータベースをシャーシにチルト調整を行うためのチルト調整機構とディセンター調整を行うためのディセンター調整機構とを介して取り付けてある請求項２に記載した光ディスク装置。
【請求項４】
上記モータの回転軸に対する偏心箇所で上記モータベースを上記シャーシに水平揺動可能に支持する第１支軸と、上記モータベースを上下に揺動可能に支持する第２支軸と、モータベースが第１支軸を中心に水平揺動されるときに上記第２支軸を摺動させてその第２支軸の水平変位を許容する摺動面とを介して上記モータベースが上記シャーシに取り付けられていて、
上記チルト調整機構が、上記第１支軸を形成して回転操作によって上記第２支軸を中心に上記モータベースを上下に揺動させる第１調整具を含み、上記ディセンター調整機構が、上記第２支軸をその軸線方向に沿う方向に押引きして上記モータベースを上記第１支軸を中心に水平揺動させる第２調整具を含んでいる請求項３に記載した光ディスク装置。
【請求項５】
上記第１調整具が、上記シャーシの下側に配備された上記モータベースの挿通孔に回転自在に挿通されて上記シャーシ側に形成されたねじ孔にねじ込まれている頭付き第１調整ねじでなり、上記シャーシと上記モータベースとの間に介在された第１ばね体によって上記モータベースが上記第１調整ねじの頭部に押し付けられている請求項４に記載した光ディスク装置。
【請求項６】
上記第２調整具が、上記シャーシ側に具備されたねじ孔にねじ込まれて上記第２支軸の端面に対峙する第２調整ねじと、上記モータベースを弾発付勢して上記第２支軸の端面を上記第２調整ねじに押し付けている第２ばね体とを備えている請求項４又は請求項５に記載した光ディスク装置。
【請求項７】
上記第２支軸は、軸線が上記モータの回転軸の軸線と直交させて配備備されている請求項４ないし請求項６のいずれか１項に記載した光ディスク装置。
【発明の詳細な説明】
【技術分野】
【０００１】
本発明は、光ディスク装置、特に光ピックアップのチルト調整とディセンター調整とが行われる光ディスク装置に関する。
【背景技術】
【０００２】
ＣＤやＤＶＤなどを使用対象とする光ディスク装置では、その組立過程で、光ディスクの記録面に対する光ピックアップの光軸の傾角を調整するチルト調整と、光ピックアップの走行位置を調節するディセンター調整が行われる。これらのチルト調整やディセンター調整は、ターンテーブルに載架されて回転する光ディスクと光ピックアップとの間で相対的に行われればよく、従来より、チルト調整とディセンター調整とを光ピックアップに対して行う技術（特許文献１参照）や、チルト調整をターンテーブルを駆動するためのモータに対して行う技術（特許文献２、特許文献３、特許文献４、特許文献５参照）が提案されていた。
【０００３】
図４は特許文献１に記載されている光ディスク装置の概略構成を示したものであり、１は主軸、２は副軸、３はピックアップ、４はターンテーブルを駆動するためのスピンドルモータ、５はシャーシ、６は主軸１の一端と副軸２の両端にそれぞれ設けられたチルト調整機構、７は主軸の他端に設けられたディセンター調整機構である。この光ディスク装置では、チルト調整が、主軸１の一端又は副軸２の両端をチルト調整機構６を介して操作することによってそれらの傾きを調整するという操作を通じて行われるようになっていると共に、ディセンター調整が、主軸１の他端をディセンター調整機構７を介して操作することにより主軸１を内外方向に変位させるという操作を通じて行われるようになっている。
【０００４】
また、特許文献２〜５に記載されているものでは、チルト調整を、モータが取り付けられているモータベースの傾きを調整するという操作を通じて行うようになっていて、そのようなモータベースの傾き調整のために調整ねじや球面座などが利用されている。
【特許文献１】特開２０００−２０９６２号公報
【特許文献２】特開平１０−１３４３５９号公報
【特許文献３】特開２００２−１０９８１９号公報
【特許文献４】特開平１０−２０８３７２号公報
【特許文献５】特開２００４−７１１１１号公報
【発明の開示】
【発明が解決しようとする課題】
【０００５】
しかしながら、特許文献１に記載されている技術では、図４で説明したように、チルト調整のための操作箇所が、主軸１の一端と副軸２の一端及び他端の３箇所に分散していることに加えて、ディセンター調整のための操作箇所が主軸１の他端に位置していることから、チルト調整やディセンター調整のための作業が煩わしく、それらの調整時の作業性がそれほどよいものであるとは云えなかった。また、チルト調整やディセンター調整を行うためのチルト調整機構６やディセンター調整機構７を介して主軸１や副軸２をシャーシ５に取り付ける必要があったために、それらの主軸１や副軸２をシャーシ５に固定するための軸受部分の構造が複雑になることを回避することができないという問題があった。
【０００６】
これに対し、特許文献２〜５によって提案されている技術は、モータを搭載したモータベースの傾きを調整することによってチルト調整を行うものであるので、図４で説明したものに比べると、チルト調整箇所がそれほど広い範囲に分散されていないということが云えるものの、ディセンター調整をモータベースに対して行うものではないので、チルト調整とディセンター調整とを行う際の作業性を総合的に勘案すると、それほど作業性に優れたものではなかった。
【０００７】
本発明は以上の状況や問題に鑑みてなされたものであり、チルト調整とディセンター調整との両方を、ターンテーブルが同軸に連結されたモータを搭載しているモータベースに対して行うことができるようにすることによって、チルト調整とディセンター調整とを行う際の作業性を改善し、併せて光ピックアップのガイド機構の構成を簡略にすることのできる光ディスク装置を提供することを目的とする。
【課題を解決するための手段】
【０００８】
本発明に係る光ディスク装置は、光ピックアップを案内して光ディスクの記録面に沿って走行させるためのガイド機構と、モータの回転軸に光ディスクを支持するターンテーブルが同軸に連結されてなるターンテテーブルユニットとを備える光ディスク装置において、光ディスクの記録面に対する光ピックアップの光軸の傾角を微調整するためのチルト調整と、上記ガイド機構による光ピックアップの走行位置を調節するディセンター調整とを、上記ターンテーブルユニットに対して行うように構成したというものである。この構成であれば、チルト調整とディセンター調整とをターンテーブルユニットのモータに対して行うだけで済み、従来のように広い範囲に分散された箇所でチルト調整を行ったりディセンター調整を行ったりする必要がなくなって、それだけチルト調整やディセンター調整の作業性が改善されるだけでなく、光ピックアップを案内するガイド機構に軸部材を用いる場合にその軸部材の端部の軸受部分の構成を簡略化することができるようになる。
【０００９】
本発明では、上記ターンテーブルユニットをモータベースに搭載し、そのモータベースをシャーシにチルト調整を行うためのチルト調整機構とディセンター調整を行うためのディセンター調整機構とを介して取り付けてあることが望ましい。これによれば、モータベースが配備されている狭い範囲でチルト調整機構やディセンター調整機構を操作してチルト調整及びディセンター調整を行うことができるので、上記の場合と同様にチルト調整やディセンター調整の作業性が改善される。
【００１０】
本発明では、上記モータの回転軸に対する偏心箇所で上記モータベースを上記シャーシに水平揺動可能に支持する第１支軸と、上記モータベースを上下に揺動可能に支持する第２支軸と、モータベースが第１支軸を中心に水平揺動されるときに上記第２支軸を摺動させてその第２支軸の水平変位を許容する摺動面とを介して上記モータベースが上記シャーシに取り付けられていて、上記チルト調整機構が、上記第１支軸を形成して回転操作によって上記第２支軸を中心に上記モータベースを上下に揺動させる第１調整具を含み、上記ディセンター調整機構が、上記第２支軸をその軸線方向に沿う方向に押引きして上記モータベースを上記第１支軸を中心に水平揺動させる第２調整具を含んでいることが望ましい。この構成であれば、チルト調整時のモータベースの上下揺動のための支軸としてディセンター調整機構に含まれる第２支軸が用いられ、ディセンター調整時のモータベースの水平揺動のための支軸としてチルト調整機構に含まれる第１支軸が用いられるので、チルト調整時やディセンター調整時の支軸を余分に設ける必要がなくなり、それだけチルト調整機構やディセンター調整機構の構成が簡略化される。
【００１１】
本発明では、上記第１調整具が、上記シャーシの下側に配備された上記モータベースの挿通孔に回転自在に挿通されて上記シャーシ側に形成されたねじ孔にねじ込まれている頭付き第１調整ねじでなり、上記シャーシと上記モータベースとの間に介在された第１ばね体によって上記モータベースが上記第１調整ねじの頭部に押し付けられている、という構成を採用することが可能である。また、上記第２調整具が、上記シャーシ側に具備されたねじ孔にねじ込まれて上記第２支軸の端面に対峙する第２調整ねじと、上記モータベースを弾発付勢して上記第２支軸の端面を上記第２調整ねじに押し付けている第２ばね体とを備えているという構成を採用することが可能である。これらの各発明によれば、チルト調整機構の第１調整具に安価なねじでなる頭付き第１調整ねじが用いられ、ディセンター調整機構の第２調整具にも安価なねじでなる第２調整ねじが用いられているので、それらの各調整機構をきわめて安価にかつ簡単な構成で得ることができるようになる。
【００１２】
本発明において、上記第２支軸は、軸線が上記モータの回転軸の軸線と直交させて配備備されていることが望ましい。これによれば、チルト調整時にモータの回転軸線ひいてはターンテーブルの回転軸線が第２支軸の回りで首振り運動をするようになるためにチルト調整を行いやすくなる。
【００１３】
本発明に係る光ディスク装置は、次の構成を採用することによっていっそう具体化される。すなわち、光ピックアップを案内して光ディスクの記録面に沿って走行させるためのガイド機構と、モータの回転軸に光ディスクを支持するターンテーブルが同軸に連結されてなるターンテテーブルユニットとを備える光ディスク装置において、光ディスクの記録面に対する光ピックアップの光軸の傾角を微調整するためのチルト調整を行うためのチルト調整機構と、上記ガイド機構による光ピックアップの走行位置を調節するディセンター調整機構とを備え、上記モータの回転軸に対する偏心箇所で上記モータベースを上記シャーシに水平揺動可能に支持する第１支軸と、上記モータベースを上下に揺動可能に支持しかつ軸線が上記モータの回転軸の軸線と直交させて配備されている第２支軸と、モータベースが第１支軸を中心に水平揺動されるときに上記第２支軸を摺動させてその第２支軸の水平変位を許容する摺動面とを介して、上記ターンテーブルユニットを搭載したモータベースがシャーシに取り付けられていて、上記チルト調整機構が、上記第１支軸を形成して回転操作によって上記第２支軸を中心に上記モータベースを上下に揺動させる第１調整具を含み、上記ディセンター調整機構が、上記第２支軸をその軸線方向に沿う方向に押引きして上記モータベースを上記第１支軸を中心に水平揺動させる第２調整具を含み、上記第１調整具が、上記シャーシの下側に配備された上記モータベースの挿通孔に回転自在に挿通されて上記シャーシ側に形成されたねじ孔にねじ込まれている頭付き第１調整ねじでなり、上記シャーシと上記モータベースとの間に介在された第１ばね体によって上記モータベースが上記第１調整ねじの頭部に押し付けられていると共に、上記第２調整具が、上記シャーシ側に具備されたねじ孔にねじ込まれて上記第２支軸の端面に対峙する第２調整ねじと、上記モータベースを弾発付勢して上記第２支軸の端面を上記第２調整ねじに押し付けている第２ばね体とを備え、上記第２支軸は、上記モータベースの左右の同心位置に具備された一対の軸部に分割されていて、一方の軸部の端面に上記第２調整ねじが対峙され、かつ、他方の軸部にコイルばねでなる上記第２ばね体が嵌合されていると共に、上記摺動面が、それぞれの軸部が嵌合された各別の長孔の内面によって形成されている、という構成を採用することによっていっそう具体化される。この発明による作用は後述する実施形態を参照して詳細に説明する。
【発明の効果】
【００１４】
以上から明らかなように、本発明に係る光ディスク装置は、ターンテーブルに載架されて回転する光ディスクとその光ディスクの記録面に沿って走行する光ピックアップとの相対位置関係を適切に定めるためのチルト調整とディセンター調整とを、ターンテーブルユニットないしそれに含まれるモータに対して行うことのできる対策を講じることによってそれらの調整作業のすべてを１箇所で行うことができるようにしたものであるので、特許文献１に記載されているようにチルト調整箇所やディセンター調整箇所が主軸や副軸の端部に広く分散されている場合に比べて作業性が大幅に改善されて光ディスク装置の生産性も向上する。その上、チルト調整とディセンター調整とをターンテーブルユニットないしそれに含まれるモータに対して行うようにしたことにより、光ピックアップを案内する主軸や副軸を支えるための軸受部分にチルト調整機構やディセンター調整機構を含ませる必要がなくなって、それだけ軸受部分の構成を簡略にして光ディスク装置を安価に製作することができるようになるという利点もある。
【発明を実施するための最良の形態】
【００１５】
図１は本発明に係る光ディスク装置の要部の概略平面図、図２は図１の１Ｉ矢視方向から見た一部破断側面図、図３は図１の１ＩＩ矢視方向から見た一部破断側面図である。
【００１６】
図１において、１０はシャーシで、このシャーシ１０にターンテーブルユニット５０が取り付けられている。
【００１７】
ターンテーブルユニット５０は、スヒンドルモータでなるモータ５１の回転軸５２にターンテーブル５３を同軸に連結してなり、図示していない円板状記録媒体としての光ディスクがそのターンテーブル５３上に保持されてターンテーブル５３と共に定位置で回転する。ターンテーブルユニット５０は、平板状の板金製モータベース６０に搭載されている。そして、そのモータベース６０がチルト調整機構７０とディセンター調整機構８０とを介して上記シャーシ１０に取り付けられている。
【００１８】
チルト調整機構７０は、光ディスクの記録面に対する光ピックアップ（不図示）の光軸の傾角を微調整することに用いられる。図例のチルト調整機構７０は、シャーシ１０の下側に配備されたモータベース６０の挿通孔６１に上向きに挿通された頭付きねじでなる頭付き第１調整ねじ７１を、モータ５１の回転軸線に対する偏心箇所でモータベース６０に形成されているねじ孔６２にねじ込んでなる。このチルト調整機構７０において、頭付き第１調整ねじ７１は、モータベース６０を上下に揺動させる第１調整具として機能するだけでなく、モータ５１の回転軸５２に対する偏心箇所でモータベース６０をシャーシ１０に水平揺動可能に支持する第１支軸として機能する。シャーシ１０とモータベース６０との間には、頭付き第１調整ねじ７１に嵌合状に保持されたコイルばねでなる第１ばね体７２が介在されていて、この第１ばね体７２による付勢によってモータベース６０が頭付き第１調整ねじ７１の頭部７１ａに常時押し付けられている。
【００１９】
モータベース６０にはブラケット６３が起立姿勢で備わっていて、そのブラケット６３から水平に突出された第２支軸６４が、シャーシ１０から下向きに突き出た突片１２の長孔１３に嵌合されている。図例では、第２支軸６４が、モータベース６０の左右の同心位置に具備された一対の軸部６４ａ，６４ｂに分割されていて、それらの軸部６４ａ，６４ｂが各別の長孔１３，１３に嵌合されている。この第２支軸６４は、その軸線が、モータ５１の回転軸の軸線と直交する位置に配備されていて、上記した第１支軸としての頭付き第１調整ねじ７１の軸線とも直交している。また、図２に一部拡大して示したように、第２支軸６４が嵌合している長孔１３は、第２支軸６４の上下方向の変位を阻止した状態で、その第２支軸６４を水平方向にのみ摺動自在に保持する摺動面１４を内面の一部に備えている。そして、ディセンター調整機構８０が、シャーシ１０から下向きに突き出たねじ取付け片８１のねじ孔８２にねじ込まれて上記第２支軸６４の一方の軸部６４ａの端面に対峙された第２調整ねじ８３と、他方の軸部６４ｂに嵌合保持された状態で突片１２とブラケット６３との間に介在されていることによって、一方の軸部６４ａの端面を第２調整ねじ８３に弾性的に付き当てているコイルばねでなる第２ばね体８４とによって構成されていて、それらの第２調整ねじ８３と第２ばね体８４とが、第２支軸６４をその軸線方向に沿う方向に押引きしてモータベース６０を第１支軸としての頭付き第１調整ねじ７１を中心に水平揺動させる第２調整具を形成している。
【００２０】
図示していなけれども、当該光ディスク装置には、光ピックアップを案内して光ディスクの記録面に沿って走行させるためのガイド機構が備わっていて、そのガイド機構は光ピックアップの左右両側を各別に支えて案内する主軸と副軸とによって形成される。このようなガイド機構を構成している主軸と副軸は、たとえば、冒頭で説明した特許文献１に見られる主軸１と副軸２に相応するものである（図４参照）。
【００２１】
以上説明した実施形態に係る光ディスク装置において、光ピックアップはガイド機構に案内されて光ディスクの記録面に沿う一定経路を往復走行される。そのため、ターンテーブルユニット５０を搭載しているモータベース６０の傾きを第２支軸６４の周りで微調整すると、光ディスクの記録面に対する光ピックアップの光軸の傾角が相対的に微調整される。これがチルト調整である。また、ターンテーブルユニット５０を搭載しているモータベース６０の位置を第１支軸７１の周りで左右に微調整すると、ガイド機構による光ピックアップの走行位置がターンテーブル５３に保持された光ディスクに対して相対的に微調整される。これがディセンター調整である。
【００２２】
次にチルト調整やディセンター調整の操作手順を説明する。
【００２３】
チルト調整は、チルト調整機構７０の頭付き第１調整ねじ７１を回転させることによって行う。すなわち、頭付き第１調整ねじ７１を締め付ける方向又は緩める方向に回転させると、その回転角度に見合ってモータベース６０が第２支軸６４を中心に上下に揺動する。したがって、この操作によって、光ディスクの記録面に対する光ピックアップの光軸の傾角が相対的に微調整される。
【００２４】
ディセンター調整は、第２調整ねじ８３を回転させることによって行う。すなわち、第２調整ねじ８３を締め付ける方向又は緩める方向に回転させると、その回転角度に見合ってモータベース６０が第１支軸としての頭付き第１調整ねじ７１を中心に左右に水平揺動して変位する。このときの第２支軸６４の水平方向の変位は、第２支軸６４が摺動面１４に対して摺動することによって許容される。したがって、この操作によって、ガイド機構による光ピックアップの走行位置がターンテーブル５３に保持された光ディスクに対して相対的に微調整される。
【００２５】
この実施形態では、チルト調整機構７０とディセンター調整機構８０とを介してモータベース６０がシャーシ１０に取り付けられていて、チルト調整やディセンター調整を、モータベース６０に搭載されているターンテーブルユニット５０のモータ５１に対して行うようになっている。そして、チルト調整機構７０とディセンター調整機構８０とが、シャーシ１０に対するモータベース６０の取付け箇所の狭い範囲に集められているので、それらの調整を作業性よく行うことができる。その上、光ピックアップを案内するためのガイド機構には、そのような各調整を行うための対策を講じる必要がなくなって、そのガイド機構を構成する主軸や副軸の端部を支える軸受部分の構成を従来に比べて簡略化することが容易に可能になる。
【図面の簡単な説明】
【００２６】
【図１】本発明に係る光ディスク装置の要部の概略平面図である。
【図２】図１の１Ｉ矢視方向から見た一部破断側面図である。
【図３】図１の１ＩＩ矢視方向から見た一部破断側面図である。
【図４】従来例の説明図である。
【符号の説明】
【００２７】
１３  長孔
１４  摺動面
５０  ターンテテーブルユニット
５１  モータ
５２  回転軸
５３  ターンテーブル
６０  モータベース
６４  第２支軸
６４ａ，６４ｂ  軸部
７０  チルト調整機構
８０  ディセンター調整機構
７１  頭付き第１調整ねじ（第１支軸、第１調整具）
７１ａ  第１調整ねじの頭部
７２  第１ばね体
８２  ねじ孔
８３  第２調整ねじ（第２調整具）
８４  第２ばね体（第２調整具）
【図１】
2005332530.tif 000003
【図２】
2005332530.tif 000004
【図３】
2005332530.tif 000005
【図４】
2005332530.tif 000006